(57)【要約】【課題】  耐久性に優れ、折り畳みが可能なプラスチック段ボール製のハウス玩具を得る。【解決手段】  子供が入って遊ぶことができるハウス玩具９０において、すべての部材は、耐久性に優れたプラスチック段ボールからなる。側壁部材２０、３０、４０、８０および屋根部材７０はそれぞれ独立した部材であり、いずれもマジックテープ（登録商標）によって留められているだけなので、分解と組み立てが容易である。側壁部材４０と側壁部材２０をL型に成形されたコーナー部材１１で接合させることで隣接する側壁部材同士を直角に繋ぎ合わせることができる。【選択図】図６
2008022881.tif 000002
【特許請求の範囲】
【請求項１】
遊技者が中に入って遊ぶことができる組み立て式のハウス玩具において、側壁を構成する１つもしくは複数の側壁部材と、屋根を構成する１つもしくは複数の屋根部材を有し、前記側壁部材、または前記屋根部材、または前記側壁部材及び前記屋根部材の両方が、プラスチック段ボールからなることを特徴とするハウス玩具。
【請求項２】
隣接する側壁部材を直角にし、組立状態を維持する為に、Ｌ型に成型されたコーナー部材を側壁部材に貼り付けてあることを特徴とするハウス玩具。
【請求項３】
前記コーナー部材と前記側壁部材、または前記側壁部材と前記屋根部材、または前記コーナー部材と前記側壁部材及び前記側壁部材と前記屋根部材の両方を繋ぎ合わせるために、マジックテープ（登録商標）が使用されていることを特徴とするハウス玩具。
【請求項４】
前記側壁部材の1つもしくは複数には、開閉扉が開閉可能に設けられ、前記開閉扉にはデザインされたドアノブが設けられていることを特徴とするハウス玩具。
【請求項５】
前記開閉扉には、前記開閉扉と前記側壁部材とが、閉じた状態を維持するためのロック部材が設けられ、前記側壁部材には、前記ロック部材を固定する固定部材が設けられていることを特徴とするハウス玩具。
【請求項６】
前記開閉扉の下部には、左右の壁に連なった踏み板を前記側壁部材に対して垂直に設置していることを特徴とするハウス玩具。
【請求項７】
前記側壁部材の1つもしくは複数には、開閉窓が開閉可能に設けられ、前記開閉窓にはデザインされた手掛け穴があけられていることを特徴とするハウス玩具。
【請求項８】
前記開閉窓もしくは開閉扉の釣元におけるプラスチック段ボールは厚みの途中までを切込み、いくらかを切断しないことで蝶番の機能を持たせていることを特徴とするハウス玩具。
【請求項９】
前記側壁部材の1つもしくは複数には、デザインされた採光用の穴があけられていることを特徴とするハウス玩具。
【請求項１０】
前記開閉窓の側部、または下部、または側部及び下部には、1つもしくは複数の窓枠部材が設けられ、前記開閉窓の上部には、角度の付いた庇部材が、1つもしくは複数設けられていることを特徴とするハウス玩具。
【請求項１１】
前記屋根部材には、前記屋根部材を二分する罫線が形成され、1つもしくは複数の煙突を通す穴があけられていることを特徴とするハウス玩具。
【請求項１２】
前記側壁部材の1つもしくは複数の上部には、煙突を形成する為の切り込みが設けられていることを特徴とするハウス玩具。
【発明の詳細な説明】
【技術分野】
【０００１】
本発明は折り畳み式のハウス玩具に関する発明である。
【背景技術】
【０００２】
従来のハウス玩具は、下記各特許文献に記載されているように折り畳み式のダンボール製のもの、もしくは組立て式の硬質あるいは軟質プラスチック製のものが知られている。
【０００３】
【特許文献１】特開２００５−１３７８１８
【特許文献２】特開２００３−９３７４８
【特許文献３】特開平５−３５１９９
【発明の開示】
【発明が解決しようとする課題】
【０００４】
ところでダンボール製のハウス玩具は、折り畳みが容易であるものの耐久性に問題があり、遊技者の激しい運動により側壁部や屋根部が折れたり、破損したりしてしまうおそれがあった。他方、プラスチック製のハウス玩具は、耐久性に問題がないものの折り畳み可能な設計にされておらず、不使用時にも折り畳めずに使用時の状態で設置されることになるため、場所をとり邪魔になることがあった。また、硬質プラスチック製のハウス玩具は、素材故に、硬く、遊技者がつまずいて倒れたりしたときに、当該ハウス玩具にぶつかったりして、痛い思いをしたり、打撲傷になったりすることもあった。
【０００５】
そこで本発明は、上記事情を考慮し、プラスチック製で、折り畳みが容易なハウス玩具を提供することを目的とする。
【課題を解決するための手段】
【０００６】
請求項１に記載の発明は、遊技者が中に入って遊ぶことができる組み立て式のハウス玩具において、側壁を構成する１つもしくは複数の側壁部材と、屋根を構成する１つもしくは複数の屋根部材を有し、側壁部材、または屋根部材、または側壁部材及び屋根部材の両方が、プラスチック段ボールからなることを特徴とする。
【０００７】
請求項１に記載の発明によれば、側壁部材および、屋根部材をプラスチック段ボールで構成することにより、ハウス玩具の耐久性を向上させることができるとともに、折り畳みを容易にすることができる。また、プラスチック段ボールは中空構造になっているため、遊技者がハウス玩具にぶつかったりしても、軟らかくクッションの役割を果たすために痛い思いをしたり、打撲傷になる心配もなくなった。
【０００８】
請求項２に記載の発明は、隣接する側壁部材を直角にし、組立状態を維持する為に、Ｌ型に成型されたコーナー部材を側壁部材に貼り付けてあることを特徴とする。
【０００９】
請求項２に記載の発明によれば、Ｌ型に成型されたコーナー部材を貼り付けることで、隣接する側壁部材同士を直角に繋ぎ合わせることができるとともにハウス玩具自体の強度を上げることができる。従来のダンボール製のハウス玩具においては、隣接する側壁部材を直角状態で維持するために床材を必要としていたが、本発明により床材を使用しなくても側壁部材を直角状態で維持できることになったため、ハウス玩具の製造コストを低減させることができる。
【００１０】
請求項３に記載の発明は、コーナー部材と側壁部材、または側壁部材と屋根部材、またはコーナー部材と側壁部材及び側壁部材と屋根部材の両方を繋ぎ合わせるために、マジックテープ（登録商標）が使用されていることを特徴とする。
【００１１】
請求項３に記載の発明によれば、接合にマジックテープ（登録商標）を使用しているため、分解を容易にすることができ、折り畳み性を向上できる。また、マジックテープ（登録商標）を使用していることで、遊技者にも安全かつ容易に組立てることができる。
【００１２】
請求項４に記載の発明は、側壁部材の1つもしくは複数には、開閉扉が開閉可能に設けられ、開閉扉にはデザインされたドアノブが設けられていることを特徴とする。
【００１３】
請求項４に記載の発明によれば、1つもしくは複数の側壁部材に開閉可能に設けられた開閉扉には、開閉の際に必要となるノブが設けられてある。このため、扉の開閉を容易にすることができ、尚且つ意匠性を向上することができる。
【００１４】
請求項５に記載の発明は、開閉扉には、開閉扉と側壁部材とが、閉じた状態を維持するためのロック部材が設けられ、側壁部材には、ロック部材を固定する固定部材が設けられていることを特徴とする。
【００１５】
請求項５に記載の発明によれば、開閉扉に設けられたロック部材と側壁部材に設けられた固定部材によって疑似錠を模し、錠を掛けることで内部が半密閉状態になる。それにより、より本物の家に近いハウス玩具となり、遊技者の遊び心を触発し、ごっこ遊びに誘引することができる。
【００１６】
請求項６に記載の発明は、開閉扉の下部には、左右の壁に連なった踏み板を側壁部に対して垂直に設置していることを特徴とする。
【００１７】
請求項６に記載の発明によれば、開閉扉の下部に、左右の壁に連なった踏み板が設置されているため、側壁部材のそりを軽減することができるとともに、意匠性を向上させることができる。また、従来のダンボール製のハウス玩具においては、側壁部材のそりを軽減させるために床材を必要としていたが、本発明により床材を使用しなくても側壁部材のそりを軽減できることになったため、ハウス玩具の製造コストを低減させることができる。
【００１８】
請求項７に記載の発明は、側壁部材の1つもしくは複数には、開閉窓にはデザインされた手掛け穴があけられていることを特徴とする。
【００１９】
請求項７に記載の発明によれば、1つもしくは複数の側壁部材に開閉可能に設けられた開閉窓に、デザインされた手掛け穴が形成されているため、窓の開閉を容易にするとともに、意匠性を向上させることができる。また、その手掛け穴を通して、ハウス玩具の内部にいる遊技者とハウス玩具の外部にいる人とがお互いを確認することができる。
【００２０】
請求項８に記載の発明は、開閉窓もしくは開閉扉の釣元におけるプラスチック段ボールは厚みの途中までを切込み、いくらかを切断しないことで蝶番の機能を持たせていることを特徴とする。
【００２１】
請求項８に記載の発明によれば、プラスチック段ボールを厚みの途中までを切込み、いくらかを切断しないことで、素材であるプラスチック段ボール自体に蝶番の機能を持たせることができ、改めて特別な蝶番を用意する必要がなくなった。それにより、ハウス玩具の製造コストを低減させることができる。
【００２２】
請求項９に記載の発明は、デザインされた採光用の穴があけられていることを特徴とする。
【００２３】
請求項９に記載の発明によれば、側壁部材にデザインされた採光用の穴があけられているため、明かりとりになるとともに意匠性を向上させることができる。
【００２４】
請求項１０に記載の発明は、開閉窓の側部、または下部、または側部及び下部には、1つもしくは複数の窓枠部材が設けられ、開閉窓の上部には、角度の付いた庇部材が、1つもしくは複数設けられていることを特徴とする。
【００２５】
請求項１０に記載の発明によれば、1つもしくは複数の側壁部に設けられている窓の側部および下部に窓枠部材が設けられ、上部にひさし部材が設けられているため、より意匠性を向上することができる。
【００２６】
請求項１１に記載の発明は、前記屋根部材には、前記屋根部材を二分する罫線が形成され、1つ、または複数の煙突を通す穴があけられていることを特徴とする。
【００２７】
請求項１１に記載の発明によれば、屋根部材には、屋根部材を二分する罫線が形成されているため、折り畳むことができるようになる。
【００２８】
請求項１２に記載の発明は、前記側壁部材の1つもしくは複数の上部には、煙突を形成する為の切り込みが設けられていることを特徴とする。
【００２９】
請求項１２に記載の発明によれば、側壁部材の一部で煙突を形成するため、煙突を別途用意する必要が無く、部品点数を減らすことで折り畳み時の紛失を未然に防ぐことができるとともに、ハウス玩具の製造コストを低減させることができる。
【発明の効果】
【００３０】
請求項１に記載の発明は、側壁部材および、屋根部材をプラスチック段ボールで構成することにより、ハウス玩具の耐久性を向上させることができるとともに、折り畳みを容易にすることができる。また、遊技者の安全を確保することもできる。
【００３１】
請求項２に記載の発明は、Ｌ型に成型されたコーナー部材を貼り付けることで、隣接する側壁部材同士を直角に繋ぎ合わせるとともに、ハウス玩具自体の強度を上げることができる。
【００３２】
請求項３に記載の発明は、接合にマジックテープ（登録商標）を使用しているため、分解を容易にすることができる。また、マジックテープ（登録商標）を使用していることで、遊技者にも安全かつ容易に組立てることができる。
【００３３】
請求項４に記載の発明は、1つもしくは複数の側壁部材に開閉可能に設けられた開閉扉には、開閉の際に必要となるノブが設けられてある。このため、扉の開閉を容易にすることができ、尚且つ意匠性を向上することができる。
【００３４】
請求項５に記載の発明は、開閉扉に設けられたロック部材と側壁部材に設けられた固定部材によって疑似錠を模し、ハウス玩具内部の空間を半密閉状態にすることができる。それによりハウス玩具を本物の家に近い状態に演出することでき、遊技者の遊び心を触発する。
【００３５】
請求項６に記載の発明は、開閉扉の下部に、左右の壁に連なった踏み板が設置されているため、側壁部材のそりを軽減することができるとともに、意匠性を向上させることができる。
【００３６】
請求項７に記載の発明は、1つもしくは複数の側壁部材に開閉可能に設けられた開閉窓に、デザインされた手掛け穴が形成されているため、窓の開閉を容易にするとともに、意匠性を向上させることができる。また、その手掛け穴を通して遊技者の見通しを良くすることができる。
【００３７】
請求項８に記載の発明は、プラスチック段ボールを厚味の途中までを切込み、いくらかを切断しないことで、扉や窓は素材であるプラスチック段ボール自体に蝶番の役割を担わせることができる。
【００３８】
請求項９に記載の発明は、側壁部材にデザインされた穴があけられているため、意匠性を向上させることができるとともに明りとりになる。
【００３９】
請求項１０に記載の発明は、1つもしくは複数の側壁部材に設けられている窓の側部および下部に窓枠部材が設けられ、上部にひさし部材が設けられているため、より意匠性を向上させることができる。
【００４０】
請求項１１に記載の発明は、屋根部材には、屋根部材を二分する罫線が形成されているため、折り畳むことができるようになる。
【００４１】
請求項１２に記載の発明は、煙突部が側壁部の一部であるため、折り畳み時に部品を紛失することを防止することができる。
【発明を実施するための最良の形態】
【００４２】
次に、本発明の一実施形態に係るハウス玩具について、図面を参照して説明する。
【００４３】
図６、図７に示すように、このハウス玩具は４つの側壁部材を備えている。側壁部材２０および側壁部材３０には、開閉窓６０が形成されている。この開閉窓６０は側壁部材２０および３０に切り込み線５０を形成することにより形成されている。また、側壁部材４０には開閉扉６１が形成されている。開閉扉６１は側壁部材４０に切込みを入れ、折り畳み線５２を形成することにより形成されている。
【００４４】
図３に示すように、側壁部材４０の下部に形成される折り畳み線５３を折り曲げることにより、踏み代４２が形成される。また、側壁部材４０の上部に形成される折り畳み線５６および折り畳み線５７で折り曲げることにより、接続部４１が形成される。側壁部材４０の下部両脇には框１２が配置される。
【００４５】
図１に示すように、側壁部材３０の上部に形成される折り畳み線５４を折り曲げることにより、接続部３１が形成される。開閉窓右６０、開閉窓左６１の周囲に窓枠１３および窓枠１４を配置する。また、開閉窓右６０、開閉窓左６１の上部にひさし１５を配置する。側壁部材３０の下部には框１０が配置される。
【００４６】
図２に示すように、側壁部材２０の上部に形成される折り畳み線５５を折り曲げることにより、煙突２１、接続部２２が形成される。開閉窓右６０、開閉窓左６１の周囲に窓枠１３および窓枠１４を配置する。また、開閉窓右６０、開閉窓左６１の上部にひさし１５を配置する。側壁部材２０の下部には框１０が配置される。
【００４７】
図５に示すように、側壁部材８０の上部に形成される折り畳み線５８、折り畳み線５９を折り曲げることにより、接続部８１が形成される。また、側壁部材８０の下部には框１０が配置される。
【００４８】
図３に示すように、側壁部材４０の上部にはネームプレート３が任意の数だけ配置される。また、開閉扉６２には任意にデザインされた形状のノブ部材４が配置される。
【００４９】
図１および図２に示すように、開閉窓右６０と開閉窓左６１の境目に位置する、切り込み線５０を中心に穴２が任意のマーク状にくり抜いて形成される。また、側壁部材２０および、側壁部材３０の四隅には、マジックテープ（登録商標）１００が接着される。
【００５０】
図３、図５に示すように、側壁部材４０、側壁部材８０の上部には穴１が任意にデザインされた形状にくり抜いて形成される。また、側壁部材４０、側壁部材８０の四隅にはマジックテープ（登録商標）１００が接着される。
【００５１】
図４に示すように、側壁部材４０の裏面には開閉扉と側壁部材とが閉じた状態を維持するためのロック部材、ロック部材を固定する固定部材が接着される。
【００５２】
図６、図７に示すように、側壁部材４０と側壁部材２０、側壁部材２０と側壁部材８０、側壁部材８０と側壁部材３０、側壁部材３０と側壁部材４０は、側壁部材１１によって直角に固定される。
【００５３】
また、屋根部材７０は折り畳み線５１によって折り曲げ、側壁部材２０、３０、４０、８０の上に配置される。
【００５４】
ハウス玩具９０はプラスチック段ボールで構成される。ハウス玩具９０をプラスチック段ボールで構成することにより、ダンボール製のハウス玩具に対して高い強度が得られるとともに、折り畳みを可能にし、ダンボール製のハウス玩具とプラスチック製のハウス玩具両方のメリットを併せ持つことができる。
【図面の簡単な説明】
【００５５】
【図１】本発明の一実施形態に係るハウス玩具を構成する側壁部材の内1つの平面図である。
【図２】本発明の一実施形態に係るハウス玩具を構成する側壁部材の内1つの平面図である。
【図３】本発明の一実施形態に係るハウス玩具を構成する側壁部材の内1つの平面図である。
【図４】本発明の一実施形態に係るハウス玩具を構成する側壁部材の内1つの平面図である。
【図５】本発明の一実施形態に係るハウス玩具を構成する側壁部材の内1つを裏側から観た平面図である。
【図６】本発明の一実施形態に係るハウス玩具が組み立てられた状態を前面から観た図である。
【図７】本発明の一実施形態に係るハウス玩具が組み立てられた状態を背面から観た図である。
【符号の説明】
【００５６】
１    穴
２    穴
３    ネームプレート
４    ノブ部材
５    ロック部材
６    固定部材
１０  框
１１  接合部材
１２  框
１３  窓枠部材
１４  窓枠部材
１５  ひさし
２０  側壁部材
２１  煙突部
３０  側壁部材
３１  接合部
４０  側壁部材
４１  接合部
４２  踏み代
５０  切込み線
５１  折りたたみ線
５２  半切込み線
５３  半切込み線
５４  半切込み線
５５  折りたたみ線
５６  半切込み線
５７  半切込み線
５８  半切込み線
５９  半切込み線
６０  開閉窓右
６１  開閉窓左
６２  開閉扉
７０  屋根部材
８０  側壁部材
８１  接合部
１００  マジックテープ（登録商標）
【図１】
2008022881.tif 000003
【図２】
2008022881.tif 000004
【図３】
2008022881.tif 000005
【図４】
2008022881.tif 000006
【図５】
2008022881.tif 000007
【図６】
2008022881.tif 000008
【図７】
2008022881.tif 000009